(57)【要約】【課題】容器の内容物を詰め替える際に好適な詰め替え保存用容器を提供する。【解決手段】両方に開口部を有する筒形状の容器本体１２と、一方に開口部を有し、内容物の移し替え用に容器として併用できるように構成されたコップ形状の蓋１３ａと、一方に開口部を有し、内容物の移し替え用に容器として併用できるように構成されたコップ形状の蓋１３ｂとを備え、蓋１３ａ及び蓋１３ｂが容器本体２の両方の開口部に着脱自在ととなるように構成する。【選択図】図２
2012106803.tif 000002
【特許請求の範囲】
【請求項１】
両方に開口部を有する筒形状の容器本体と、
一方に開口部を有し、内容物の移し替え用に容器として併用できるように構成されたコップ形状の第１の蓋と、
一方に開口部を有し、内容物の移し替え用に容器として併用できるように構成されたコップ形状の第２の蓋とを備え、
前記第１の蓋及び前記第２の蓋が前記容器本体の両方の開口部に着脱自在となっていることを特徴とする詰め替え保存用容器。
【発明の詳細な説明】
【技術分野】
【０００１】
本発明は、容器の内容物を詰め替える際に好適な詰め替え保存用容器に関する。
【背景技術】
【０００２】
この種の容器として、従来、図３に示す技術が知られている（例えば、特許文献１を参照。）。この容器は、筒形状ガラス瓶１０１の両端部に、それぞれ第１の開口部１０１ａ及び第２の開口部１０１ａ'を設け、両各開口部には、開閉自在に密閉機能を有する第１の密閉式蓋部材１０２ａと第２の密閉式蓋部材１０２ａ'とを装備した家庭用蜂蜜保存ガラス瓶である。
【０００３】
この家庭用蜂蜜保存ガラス瓶によれば、蜂蜜を使用しつつ保存中に、筒形状ガラス瓶１０１の底部近傍に残存する固形結晶化し粘性流動性が悪化した蜂蜜を、床面に面した第１の密閉式蓋部材１０２ａ（又は第２の密閉式蓋部材１０２ａ'）を開けることにより、普通のサジ等で容易に取り出すことができる。
【先行技術文献】
【特許文献】
【０００４】
【特許文献１】実用新案登録第３１０２２９１号
【発明の概要】
【発明が解決しようとする課題】
【０００５】
ところで、容器の内容物を詰め替える際、残存する内容物の上から新たな内容物を追加して、新たな内容物から使用するという使い方をしていると、容器の底には古い内容物が残存していく。これを回避するには、残存する内容物を別の容器に移し替えた後、新たな内容物を入れて、移し替えた内容物を追加して、古い内容物が上に来るようにする必要がある。
【０００６】
或いは、内容物が僅かになったとき、容器を逆さまにして内容物を蓋で受けた状態で蓋を容器から取り外し、容器を元に戻して新たな内容物を入れ、その上から蓋で受けた内容物を追加して、古い内容物から使用することによって古い内容物が容器の底に残存していくことを回避できる。
【０００７】
しかしながら、前者は、容器の内容物を詰め替える際、移し替え用の容器を別途用意しなければならないため不便である。また、後者は、通常、蓋の内側にネジ山が形成されており、蓋に内容物を移し替える際、特に内容物がジャムのような粘着性が高い物の場合、移し替えるのに時間がかかるとともに、ネジ山に内容物が付着し、蓋を容器に取り付けられないという問題点がある。
【０００８】
そこで、本発明が解決しようとする課題は、移し替え用の容器を別途用意する必要がなく、短時間で移し替えることが可能であり、ネジ山に内容物が付着して蓋を容器に取り付けられないという問題点を解消する、容器の内容物を詰め替える際に好適な詰め替え保存用容器を提供することである。
【課題を解決するための手段】
【０００９】
この発明は、前記課題を解決するためになされたもので、請求項１に記載の詰め替え保存用容器は、両方に開口部を有する筒形状の容器本体と、一方に開口部を有し、内容物の移し替え用に容器として併用できるように構成されたコップ形状の第１の蓋と、一方に開口部を有し、内容物の移し替え用に容器として併用できるように構成されたコップ形状の第２の蓋とを備え、前記第１の蓋及び前記第２の蓋が前記容器本体の両方の開口部に着脱自在となっていることを特徴としている。
【００１０】
請求項１に記載の詰め替え保存用容器によれば、前記容器本体が筒形状であり、両方の開口部を前記第１の蓋及び前記第２の蓋で密閉する構造であるため、内容物が僅かになったとき、上側にある前記第１の蓋（又は前記第２の蓋）を開けて新たな内容物を追加し、容器を逆さまにすることで、古い内容物が上に来るようになり、上側にある前記第２の蓋（又は前記第１の蓋）を開けば、古い内容物から取り出すことができる。この使用態様は、容器を逆さまにしたときに内容物が混ざり合わないように、殻付きピーナッツ等の比較的大きい物を内容物とする場合に好適である。
【００１１】
また、請求項１に記載の詰め替え保存用容器によれば、内容物が粉状物のように容器を逆さまにしたときに混ざり合う物である場合、古い内容物を下側にある前記第２の蓋（又は前記第１の蓋）に受けた状態で該蓋を取り外し、容器を逆さまにした状態で新しい内容物を入れ、取り外した前記第２の蓋（又は前記第１の蓋）にある古い内容物を追加した後、取り外した前記第２の蓋（又は前記第１の蓋）を上側に取り付けることができるため、古い内容物が上に来るようになり、上側にある前記第２の蓋（又は前記第１の蓋）を開けば、古い内容物から取り出すことができる。
【００１２】
また、請求項１に記載の詰め替え保存用容器によれば、内容物がジャムのような粘着性の高い物であった場合、古い内容物を下側にある前記第２の蓋（又は前記第１の蓋）に受けた状態で該蓋を取り外し、容器を逆さまにした状態で新しい内容物を追加し、取り外した前記第２の蓋（又は前記第１の蓋）を上側に取り付けることができるため、上側の蓋に付着した状態の古い内容物から使用することができ、内容物を移し替えるのに時間がかからない。
【００１３】
ここで、請求項１に記載の詰め替え保存用容器は、前記蓋の外側端縁にネジ山が設けられていることが好ましい。このようにすることで、蓋に内容物を移し替える際、内容物がジャムのような粘着性が高い物であっても、ネジ山に内容物が付着することがないため、移し替え用の容器を別途用意する必要もなく、ネジ山に内容物が付着して蓋を容器に取り付けられないという問題点が解消する。
【００１４】
また、請求項１に記載の詰め替え保存用容器は、前記容器本体の内壁と前記蓋の内壁とがずれることなく同一面上にあるように構成するのが好ましい。このようにすることで、内容物が蜂蜜のように粘着性も流動性も有する場合であっても、前記容器本体の内壁と前記蓋の内壁とがずれることなく同一面上にあるため、古い内容物が入った前記第２の蓋（又は前記第１の蓋）を上側に取り付けた後、しばらくそのままの状態で保持することによって、上側の前記第２の蓋（又は前記第１の蓋）に付着した状態の内容物が容器の内壁をつたって自然に流れ落ち、新しい内容物の上に堆積するので、古い内容物から使用することができる。
【００１５】
なお、特許文献１に開示された技術は、底に固形化した蜂蜜を取り出すことを目的としているため、内容物の詰め替えを可能とする技術的思想を持ち合わせていない。したがって、本発明は、蓋を深さのあるコップ形状としている点やネジ山に内容物が付着しないように蓋の外側にネジ山を設けている点等において、特許文献１に開示された技術とは全く異なっている。
【発明の効果】
【００１６】
本発明によれば、移し替え用の容器を別途用意する必要がなく、短時間で移し替えることが可能であり、内容物が付着して蓋を容器に取り付けられないという問題点を解消する、容器の内容物を詰め替える際に好適な詰め替え保存用容器を提供することができる。
【図面の簡単な説明】
【００１７】
【図１】本発明に係る詰め替え保存用容器の一実施形態を示す立面視概略説明図である。
【図２】本発明に係る詰め替え保存用容器の他の実施形態を示す立面視概略説明図である。
【図３】従来例であって、家庭用蜂蜜保存ガラス瓶の使用状態を示す立面視概略説明図である。
【発明を実施するための形態】
【００１８】
以下、本発明を適用した具体的な実施の形態について、図面を参照しながら詳細に説明する。本発明は、例えば図１又は図２に示すような構成の詰め替え保存用容器１又は詰め替え保存用容器１１に適用される。
【００１９】
１．詰め替え保存用容器１
先ず、図１を参照して、詰め替え保存用容器１の構成について説明する。この詰め替え保存用容器１は、図１に示すように、一方に開口部を有するコップ形状の容器本体２と、一方に開口部を有するコップ形状の蓋３とを主要部として備えている。
【００２０】
そして、容器本体２の内側端縁にネジ山が設けられており、蓋３の外側端縁にもネジ山が設けられている。この容器本体２の内側端縁に設けられたネジ山と蓋３の外側端縁に設けられたネジ山とが係合することによって、蓋３が容器本体２の開口部にネジ巻き式に着脱自在となっており、容器本体２の開口部に蓋３を取り付けた状態において、容器本体２の内壁６と蓋３の内壁７とがずれることなく同一面上にあるように構成されている。
【００２１】
容器本体２は、例えば透明なガラスからなり、比較的厚みのあるコップ形状に加工されている。容器本体２の内側端縁は肉厚が薄くなっており、この内側端縁に蓋３のネジ山と係合するネジ山が設けられている。
【００２２】
蓋３は、例えばプラスティックからなり、端縁部以外の肉厚は容器本体２の端縁部以外の肉厚と同一である。この蓋３は、外側端縁の肉厚が薄くなっており、容器本体２の内側端縁に設けられたネジ山にねじ込むことで取り付けられ、詰め替え保存用容器１が密閉される。蓋３をねじ戻すことで蓋３が取り外される。
【００２３】
詰め替え保存用容器１は、内容物が僅かになったとき、容器を逆さまにして内容物を蓋３で受けた状態で蓋３を容器から取り外し、容器を元に戻して新たな内容物を入れ、その上から蓋３で受けた内容物を追加して、蓋３を開口部に取り付ける。
【００２４】
この詰め替え保存用容器１によれば、蓋３の外側端縁にネジ山が設けられているため、蓋３に内容物を移し替える際、内容物がジャムのような粘着性が高い物であっても、ネジ山に内容物が付着することがないため、移し替え用の容器を別途用意する必要もなく、蓋を容器に取り付けられないという問題点が解消する。
【００２５】
また、詰め替え保存用容器１によれば、容器本体２の開口部に蓋３を取り付けた状態において、容器本体２の内壁６と蓋３の内壁７とがずれることなく同一面上にあるため、容器を逆さまにしても内容物を付着させることなくスムースに蓋３へ移し替えることができる。
【００２６】
２．詰め替え保存用容器１１
次に、図２を参照して、詰め替え保存用容器１１の構成について説明する。この詰め替え保存用容器１１は、図２に示すように、両方に開口部を有する筒形状の容器本体１２と、一方に開口部を有するコップ形状の蓋１３ａと、一方に開口部を有するコップ形状の蓋１３ｂとを主要部として備えている。
【００２７】
そして、容器本体１２の両方の内側端縁に設けられたネジ山と蓋１３ａ及び蓋１３ｂの夫々の外側端縁に設けられたネジ山とが係合することによって、蓋１３ａ及び蓋１３ｂが容器本体１２の両方の開口部にネジ巻き式に着脱自在となっており、容器本体１２の両方の開口部に蓋１３ａ及び蓋１３ｂを取り付けた状態において、容器本体１２の内壁１６と蓋１３ａの内壁１７ａと蓋１３ｂの内壁１７ｂとがずれることなく同一面上にあるように構成されている。
【００２８】
容器本体１２は、例えば透明なガラスからなり、比較的厚みのある筒形状に加工されている。容器本体１２の両方の内側端縁は肉厚が薄くなっており、この内側端縁に蓋１３ａ及び蓋１３ｂのネジ山と係合するネジ山が設けられている。
【００２９】
蓋１３ａ，ｂは、例えばプラスティックからなり、端縁部以外の肉厚は容器本体１２の端縁部以外の肉厚と同一である。この蓋１３ａ，ｂは、外側端縁の肉厚が薄くなっており、容器本体１２の内側端縁に設けられたネジ山にねじ込むことで取り付けられ、両方の開口部に蓋１３ａ，ｂが夫々取り付けられると詰め替え保存用容器１２が密閉される。蓋１３ａ，ｂをねじ戻すことで蓋１３ａ，ｂが夫々取り外される。
【００３０】
詰め替え保存用容器１１は、詰め替え保存用容器１と同様に使用できるが、加えて、内容物が僅かになったとき、上側にある蓋１３ａ（又は蓋１３ｂ）を開けて新たな内容物を追加し、容器を逆さまにすることで、古い内容物が上に来るようになり、上側にある蓋１３ｂ（又は蓋１３ａ）を開くことにより、古い内容物から使用することができる。
【００３１】
この使用態様の場合、内容物は、例えば、殻付きピーナッツのように、容器を元に戻したときに混ざり合わない程度の比較的大きな物が好適である。
【００３２】
また、詰め替え保存用容器１１によれば、僅かになった内容物が粉状物のように容器を逆さまにしたときに混ざり合う物である場合、古い内容物を下側にある蓋１３ｂ（又は蓋１３ａ）に受けた状態で該蓋を取り外し、容器を逆さまにした状態で新しい内容物を入れ、取り外した蓋１３ｂ（又は蓋１３ａ）にある古い内容物を追加した後、取り外した蓋１３ｂ（又は蓋１３ａ）を上側に取り付けることができるため、古い内容物が上に来るようになり、上側にある蓋１３ｂ（又は蓋１３ａ）を開けば、古い内容物から取り出すことができる。
【００３３】
この使用態様の場合、内容物は、殻付きピーナッツ等の比較的大きな物に限らず、コーヒー豆等の粒状物，コーヒー豆を碾いたもの等の粉状物，ジャム等のゲル状物でもよく、特に限定されない。
【００３４】
また、詰め替え保存用容器１１によれば、内容物がジャムのような粘着性の高い物であった場合、古い内容物を下側にある蓋１３ｂ（又は蓋１３ａ）に受けた状態で該蓋を取り外し、容器を逆さまにした状態で新しい内容物を追加し、取り外した蓋１３ｂ（又は蓋１３ａ）を上側に取り付けることができるため、上側の蓋に付着した状態の古い内容物から使用することができ、内容物を移し替えるのに時間がかからない。
【００３５】
ここで、内容物が粘着性の高い物であった場合、蜂蜜のように流動性を有することもあるが、このような場合、容器本体１２の内壁１６と蓋１３ａの内壁１７ａと蓋１３ｂの内壁１７ｂとがずれることなく同一面上にあるため、上側の蓋１３ｂ（又は１３ａ）に付着した状態の内容物が重力によって、容器の内壁をつたって自然に流れ落ち、新しい内容物の上に堆積する。
【００３６】
したがって、詰め替え保存用容器１１によれば、内容物が粘着性も流動性も有する場合であっても、古い内容物を下側にある蓋１３ｂ（又は蓋１３ａ）に受けた状態で該蓋を取り外し、容器を逆さまにした状態で新しい内容物を追加し、取り外した蓋１３ｂ（又は蓋１３ａ）を上側に取り付けた後、しばらくそのままの状態で保持することによって、新しい内容物の上に堆積した古い内容物から使用することができる。勿論、内容物を詰め替える際に、下側にある蓋１３ｂ（又は蓋１３ａ）に付着した古い内容物を使用してもよい。
【００３７】
なお、本発明は前述した実施の形態のみに限定されるものではなく、本発明の要旨を逸脱しない範囲において種々の変更が可能であることは勿論である。
【符号の説明】
【００３８】
１  詰め替え保存用容器、  ２  容器本体、  ３  蓋、  ５  平面台、  ６  内壁、  ７  内壁、  １１  詰め替え保存用容器、  １２  容器本体、  １３ａ  第１の蓋、  １３ｂ  第２の蓋、  １５  平面台、  １６  内壁、  １７ａ，ｂ  内壁、  １０１  筒形状ガラス瓶、  １０１ａ  第１の開口部、  １０１ｂ  第２の開口部、  １０２ａ  第１の密閉式蓋部材、  １０２ａ'  第２の密閉式蓋部材、  １０３  蜂蜜、  １０４  床面
【図１】
2012106803.tif 000003
【図２】
2012106803.tif 000004
【図３】
2012106803.tif 000005